(57)【要約】【課題】ブルーバック信号やブラックバック信号を除いて動画信号のみを検出する映像信号検出回路を提供する。【解決手段】外部ビデオ入力端子への映像信号はバイアス電圧付加回路によりバイアス電圧が付加され、この映像信号に含まれる水平同期信号は水平同期信号検出回路により検出される。また、外部ビデオ入力端子から入力された映像信号はバンドパスフィルタに入力され、バンドパスフィルタを通過した信号にバイアス電圧がバイアス電圧付加回路により付加される。バイアス電圧付加回路からの信号は動画検出回路において比較レベルと比較され、比較レベル以上であれば、動画検出回路から動画検出信号が出力される。さらに水平同期信号と動画検出信号とは合成回路により合成され、合成された動画認識信号により、ビデオ記録再生装置は外部ビデオ入力端子に動画信号が入力されたことを認識する。【選択図】図１
2007189598.tif 000002
【特許請求の範囲】
【請求項１】
ビデオ記録再生装置に付随する外部ビデオ入力端子から入力された映像信号にバイアス電圧を付加するバイアス電圧付加手段と、このバイアス電圧付加手段からのバイアス電圧が付加された映像信号に含まれる水平同期信号を検出する水平同期信号検出手段と、外部ビデオ入力端子から入力された映像信号が動画信号であった場合とブルーバック信号やブラックバック信号などの無映像信号であった場合とを判別できるように設定された通過周波数帯域を有するバンドパスフィルタと、このバンドパスフィルタを通過した信号にバイアス電圧を付加するバイアス電圧付加手段と、このバイアス電圧付加回路からの信号に対して前記映像信号が動画信号であるかブルーバック信号やブラックバック信号などの無映像信号であるかの判別を行うための比較レベルが設定され前記比較レベル以上の信号が前記バイアス電圧付加手段から入力されたとき前記映像信号は動画の映像信号であることを示す動画検出信号を出力する動画検出手段と、前記水平同期信号検出手段からの水平同期信号と前記動作検出手段からの動画検出信号とを合成して動画認識信号を出力する合成手段とを備え、前記動画認識信号により前記外部ビデオ入力端子に動画信号が入力されたことをビデオ記録再生装置に認識させるように構成したことを特徴とする映像信号検出回路。
【請求項２】
ビデオ記録再生装置に付随する外部ビデオ入力端子から入力された映像信号が動画信号であった場合とブルーバック信号やブラックバック信号などの無映像信号であった場合とを判別できるように設定された通過周波数帯域を有するバンドパスフィルタを備え、このバンドパスフィルタを通過した信号により前記外部ビデオ入力端子に動画信号が入力されたことをビデオ記録再生装置に認識させるように構成したことを特徴とする映像信号検出回路。
【請求項３】
前記バンドパスフィルタを通過した信号にバイアス電圧を付加するバイアス電圧付加手段を更に備え、このバイアス電圧付加手段からの信号により、前記外部ビデオ入力端子に動画信号が入力されたことをビデオ記録再生装置に認識させるように構成したことを特徴とする請求項２に記載の映像信号検出回路。
【請求項４】
前記バイアス電圧付加回路からの信号に対して前記映像信号が動画信号であるかブルーバック信号やブラックバック信号などの無映像信号であるかの判別を行うための比較レベルが設定され前記比較レベル以上の信号が前記バイアス電圧付加手段から入力されたとき前記映像信号は動画の映像信号であることを示す動画検出信号を出力する動画検出手段を更に備え、前記動画検出信号により、前記外部ビデオ入力端子に動画信号が入力されたことをビデオ記録再生装置に認識させるように構成したことを特徴とする請求項３に記載の映像信号検出回路。
【請求項５】
ビデオ記録再生装置に付随する外部ビデオ入力端子から入力された映像信号にバイアス電圧を付加するバイアス電圧付加手段と、このバイアス電圧付加手段からのバイアス電圧が付加された映像信号に含まれる水平同期信号を検出する水平同期信号検出手段と、前記水平同期信号検出手段からの水平同期信号と前記動作検出手段からの動画検出信号とを合成して動画認識信号を出力する合成手段とを更に備え、前記動画認識信号により前記外部ビデオ入力端子に動画信号が入力されたことをビデオ記録再生装置に認識させるように構成したことを特徴とする請求項４に記載の映像信号検出回路。
【発明の詳細な説明】
【技術分野】
【０００１】
本発明は、外部ビデオ入力端子を介して映像信号が入力されたときに記録が開始する記録予約モードの機能を有するビデオ記録再生装置に備えられ、外部ビデオ入力端子に映像信号が入力されたことを検出する映像信号検出回路に関する。
【背景技術】
【０００２】
従来から、ハードディスク記録再生装置やＤＶＤ（デジタル・バーサタイル・ディスク）レコーダあるいはビデオカセットレコーダなどのビデオ記録再生装置は、外部ビデオ入力端子を介して映像信号が入力されたときに記録が開始する記録予約モードの機能を有し、外部ビデオ入力端子から映像信号が入力されたことを検出する映像信号検出回路を備え、この映像信号検出回路が映像信号を検出すると、記録を開始するように構成されている。
【０００３】
図５は従来の映像信号検出回路の構成を示すブロック図である。図５において、映像信号検出回路２００は、図示しないビデオ記録再生装置の外部ビデオ入力端子Ｔから入力された映像信号にバイアス電圧を付加するバイアス電圧付加回路２０１と、このバイアス電圧付加回路２０１からのバイアス電圧が付加された映像信号に含まれる水平同期信号を検出する水平同期信号検出回路２０２とを備えている。その水平同期信号は、ビデオ記録再生装置のシステムコントローラに入力される。
【０００４】
図６は図５に示す映像信号検出回路の動作を説明するための信号波形図である。図６（１）において、ｄ１は外部ビデオ入力端子Ｔから入力された映像信号（ＮＴＳＣカラーテレビジョン信号）を示し、この映像信号ｄ１はバイアス電圧付加回路２０１に入力される。この映像信号ｄ１において、２１は水平同期信号を示し、２２は約３．５８ＭＨｚのカラーバースト信号を示す。ｄ２は映像信号ｄ１にバイアス電圧Ｅ１が付加された映像信号を示す。
【０００５】
また、図６（１）において、ｅ１は水平同期信号検出回路２０２において設定されている比較レベルであり、水平同期信号検出回路２０２は、映像信号ｄ２のレベルを比較レベルｅ１と比較し、映像信号ｄ２のレベルが比較レベルｅ１以上であれば、ハイレベル信号を出力し、映像信号ｄ２のレベルが比較レベルｅ１未満であれば、ローレベル信号を出力するので、結果的には、水平同期信号ｄ３を出力することになる。この水平同期信号ｄ３を入力したビデオ記録再生装置のシステムコントローラは、外部ビデオ入力端子Ｔから映像信号が入力されたことを認識し、これにより、ビデオ記録再生装置は映像信号の記録を開始する。
【特許文献１】特開平８−２７５０７２号公報
【特許文献２】特開平１１−２１３１５６号公報
【特許文献３】特開２００５−２０３１７号公報
【特許文献４】特開平７−１４３４６６号公報
【発明の開示】
【発明が解決しようとする課題】
【０００６】
しかしながら、このような構成を有する映像信号検出回路は、例えば、図６（２）に示すようなブルーバック信号（青画面を表示させるための信号）や図６（３）に示すようなブラックバック信号（黒画面を表示させるための信号）を入力した場合も、同様な動作で水平同期信号を検出してシステムコントローラに入力するので、システムコントローラは、外部ビデオ入力端子Ｔに入力された映像信号が動画信号であるか、ブルーバック信号またはブラックバック信号であるかを判別することができず、それらの信号の何れであってもビデオ記録再生装置を記録動作させ、動画信号を記録した場合は問題ないが、ブルーバック信号またはブラックバック信号を記録した場合は、記録媒体の記録領域が無駄になり、また、再生時には、ブルーバック画面やブラックバック画面などの無映像画面が出画されることになり、ユーザにとっては不快感を与えるなどの課題があった。
【０００７】
ところで、特許文献１の従来技術では、入力された映像信号が動画信号であるかブルーバック信号であるかの判別は、次のような処理が行われる。先ず、コントローラは、予め設定した所定タイミング毎に切換信号を更新しつつ出力し、第３セレクタは、切換信号に基づいて何れかの映像信号を検出対象映像信号として映像検出回路に出力する。これにより、映像検出回路のロウパスフィルタは、その時定数に応じた検出対象映像信号の低域成分を通過させ、このロウパスフィルタの出力信号に基づいてクランプ回路は、検出対象映像信号の略映像部分の平均電圧レベルが０Ｖとなるようにクランピングする。次に、クロマトラップ回路は、クランピングされた検出対象映像信号の電圧と基準電圧とを比較することにより、入力された映像信号が動画信号であるかプルーバック信号であるかの判別を行う。
【０００８】
しかしながら、この従来技術では、コントローラは、予め設定した所定タイミング毎に切換信号を更新しつつ出力しなければならないので、処理および回路構成が複雑化するという課題が生じる。また、検出対象映像信号の略映像部分の平均電圧レベルが０Ｖとなった信号と基準電圧とを比較することにより、入力された映像信号が動画信号であるかプルーバック信号であるかの判別を行っているが、平均電圧レベルが０Ｖとなった信号は、０Ｖ電圧を基準とした場合、プラス方向のレベルとマイナス方向のレベルは小さくなるので、基準電圧との差が小さくなり、入力された映像信号が動画信号であるかプルーバック信号であるかの判別の精度が劣るという課題が生じる。また、この従来技術では、コントローラ、第３セレクタ、映像検出回路、クランプ回路、クロマトラップ回路などの複雑な回路を必要とし、全体的に回路構成が複雑化するという課題が生じる。
【０００９】
特許文献２の従来技術は、動画像から背景画像と前景画像との分離を行うものであり、ハードディスク記録再生装置やＤＶＤ（デジタル・バーサタイル・ディスク）レコーダあるいはビデオカセットレコーダなどのビデオ記録再生装置において、外部ビデオ入力端子を介して映像信号が入力されたときに記録が開始する記録予約モードの機能を有し、外部ビデオ入力端子から映像信号が入力されたことを検出する映像信号検出回路を備え、この映像信号検出回路が映像信号を検出すると、記録を開始するようにしたものではなく、また、動画像とブルーバック画像とを判別できるようにしたものではない。
【００１０】
特許文献３の従来技術は、動画と静止画とを判別するものであるが、動画像とブルーバック画像とを判別できるようにしたものではない。特許文献４の従来技術は、動き検出と輪郭抽出などを組み合わせて背景から説明者画像を切り抜くものであり、動画像とブルーバック画像とを判別できるようにしたものではない。
【００１１】
本発明は、上記のような課題を解決するためになされたもので、外部ビデオ入力端子を有するビデオ記録再生装置において、ブルーバック信号やブラックバック信号を除いて動画信号のみを検出する映像信号検出回路を提供することを目的とする。
【課題を解決するための手段】
【００１２】
上記目的を達成するために、請求項１の発明は、ビデオ記録再生装置に付随する外部ビデオ入力端子から入力された映像信号にバイアス電圧を付加するバイアス電圧付加手段と、このバイアス電圧付加手段からのバイアス電圧が付加された映像信号に含まれる水平同期信号を検出する水平同期信号検出手段と、外部ビデオ入力端子から入力された映像信号が動画信号であった場合とブルーバック信号やブラックバック信号などの無映像信号であった場合とを判別できるように設定された通過周波数帯域を有するバンドパスフィルタと、このバンドパスフィルタを通過した信号にバイアス電圧を付加するバイアス電圧付加手段と、このバイアス電圧付加回路からの信号に対して前記映像信号が動画信号であるかブルーバック信号やブラックバック信号などの無映像信号であるかの判別を行うための比較レベルが設定され前記比較レベル以上の信号が前記バイアス電圧付加手段から入力されたとき前記映像信号は動画の映像信号であることを示す動画検出信号を出力する動画検出手段と、前記水平同期信号検出手段からの水平同期信号と前記動作検出手段からの動画検出信号とを合成して動画認識信号を出力する合成手段とを備え、前記動画認識信号により前記外部ビデオ入力端子に動画信号が入力されたことをビデオ記録再生装置に認識させるように構成したことを特徴とする映像信号検出回路を提供する。
【００１３】
この構成において、外部ビデオ入力端子から入力された映像信号は、バイアス電圧付加手段によりバイアス電圧が付加され、このバイアス電圧が付加された映像信号に含まれる水平同期信号は、水平同期信号検出手段により検出される。また、外部ビデオ入力端子から入力された映像信号は、バンドパスフィルタに入力され、バンドパスフィルタを通過した信号にバイアス電圧付加手段によりバイアス電圧が付加される。このバイアス電圧付加回路からの信号は、動画検出手段において比較レベルと比較され、比較レベル以上であれば、動画検出手段から動画検出信号が出力される。さらに、水平同期信号検出手段からの水平同期信号と動作検出手段からの動画検出信号とは、合成手段により合成され、合成手段から動画認識信号が出力される。この動画認識信号により、ビデオ記録再生装置は、外部ビデオ入力端子に動画信号が入力されたことを認識することができる。
【００１４】
この構成によれば、外部ビデオ入力端子を介して映像信号が入力されたときに記録が開始する記録予約モードの機能を有するビデオ記録再生装置の外部ビデオ入力端子に映像信号が入力されたとき、水平同期信号検出手段から水平同期信号が出力されることにより、その映像信号が動画信号またはブルーバック信号やブラックバック信号などの無映像信号であることが分かり、更に動画検出手段から動画検出信号が出力されることにより、その映像信号が動画信号であることが分かり、水平同期信号と動画検出信号とを合成した動画認識信号により、確実に外部ビデオ入力端子に入力された映像信号は動画信号であることをビデオ記録再生装置が認識できる。
【００１５】
したがって、ビデオ記録再生装置では、外部ビデオ入力端子を介して映像信号が入力されたときに記録が開始する記録予約モードに設定されていれば、外部ビデオ入力端子に映像信号が入力されると、動画信号のみを記録させることができ、これにより、記録媒体の記録領域が無駄なく有効に使用でき、また、再生時には、ブルーバック画面やブラックバック画面などの無映像画面が出画されることがないので、ユーザは快適に再生映像を楽しむことができる。
【００１６】
請求項２の発明は、ビデオ記録再生装置に付随する外部ビデオ入力端子から入力された映像信号が動画信号であった場合とブルーバック信号やブラックバック信号などの無映像信号であった場合とを判別できるように設定された通過周波数帯域を有するバンドパスフィルタを備え、このバンドパスフィルタを通過した信号により前記外部ビデオ入力端子に動画信号が入力されたことをビデオ記録再生装置に認識させるように構成したことを特徴とする映像信号検出回路を提供する。
【００１７】
この構成において、外部ビデオ入力端子に映像信号が入力され、バンドパスフィルタを通過した信号は、外部ビデオ入力端子に入力された映像信号が動画信号であることをビデオ記録再生装置に認識させるための信号となる。
【００１８】
この構成によれば、外部ビデオ入力端子を介して映像信号が入力されたときに記録が開始する記録予約モードの機能を有するビデオ記録再生装置の外部ビデオ入力端子に映像信号が入力されたとき、バンドパスフィルタを通過した信号により、外部ビデオ入力端子に入力された映像信号は、動画信号であることをビデオ記録再生装置が認識できる。
【００１９】
したがって、ビデオ記録再生装置では、外部ビデオ入力端子を介して映像信号が入力されたときに記録が開始する記録予約モードに設定されていれば、外部ビデオ入力端子に映像信号が入力されると、動画信号のみを記録させることができ、これにより、記録媒体の記録領域が無駄なく有効に使用でき、また、再生時には、ブルーバック画面やブラックバック画面などの無映像画面が出画されることがないので、ユーザは快適に再生映像を楽しむことができる。
【００２０】
請求項３の発明では、請求項２の発明において、前記バンドパスフィルタを通過した信号にバイアス電圧を付加するバイアス電圧付加手段を更に備え、このバイアス電圧付加手段からの信号により、前記外部ビデオ入力端子に動画信号が入力されたことをビデオ記録再生装置に認識させるように構成したので、動画信号と、ブルーバック信号やブラックバック信号などの無映像信号との判別が行ない易くなり、前記外部ビデオ入力端子に動画信号が入力されたことをビデオ記録再生装置が認識し易くなる。
【００２１】
請求項４の発明では、請求項３の発明において、前記バイアス電圧付加回路からの信号に対して前記映像信号が動画信号であるかブルーバック信号やブラックバック信号などの無映像信号であるかの判別を行うための比較レベルが設定され前記比較レベル以上の信号が前記バイアス電圧付加手段から入力されたとき、前記映像信号は動画の映像信号であることを示す動画検出信号を出力する動画検出手段を更に備え、前記動画検出信号により、前記外部ビデオ入力端子に動画信号が入力されたことをビデオ記録再生装置に認識させるように構成したので、動画信号と、ブルーバック信号やブラックバック信号などの無映像信号との判別が行ない易くなる構成を具体的に実現でき、前記外部ビデオ入力端子に動画信号が入力されたことをビデオ記録再生装置が認識し易くなる。
【００２２】
請求項５の発明では、請求項４の発明において、ビデオ記録再生装置に付随する外部ビデオ入力端子から入力された映像信号にバイアス電圧を付加するバイアス電圧付加手段と、このバイアス電圧付加手段からのバイアス電圧が付加された映像信号に含まれる水平同期信号を検出する水平同期信号検出手段と、前記水平同期信号検出手段からの水平同期信号と前記動作検出手段からの動画検出信号とを合成して動画認識信号を出力する合成手段とを更に備え、前記動画認識信号により前記外部ビデオ入力端子に動画信号が入力されたことをビデオ記録再生装置に認識させるように構成したので、外部ビデオ入力端子を介して映像信号が入力されたときに記録が開始する記録予約モードの機能を有するビデオ記録再生装置の外部ビデオ入力端子に映像信号が入力されたとき、水平同期信号検出手段から水平同期信号が出力されることにより、その映像信号が動画信号またはブルーバック信号やブラックバック信号などの無映像信号であることが分かり、更に動画検出手段から動画検出信号が出力されることにより、その映像信号が動画信号であることが分かり、水平同期信号と動画検出信号とを合成した動画認識信号により、確実に外部ビデオ入力端子に入力された映像信号は動画信号であることをビデオ記録再生装置が認識できる。
【発明の効果】
【００２３】
以上のように本発明によれば、ビデオ記録再生装置に付随する外部ビデオ入力端子から入力された映像信号にバイアス電圧を付加するバイアス電圧付加手段と、このバイアス電圧付加手段からのバイアス電圧が付加された映像信号に含まれる水平同期信号を検出する水平同期信号検出手段と、外部ビデオ入力端子から入力された映像信号が動画信号であった場合とブルーバック信号やブラックバック信号などの無映像信号であった場合とを判別できるように設定された通過周波数帯域を有するバンドパスフィルタと、このバンドパスフィルタを通過した信号にバイアス電圧を付加するバイアス電圧付加手段と、このバイアス電圧付加回路からの信号に対して前記映像信号が動画信号であるかブルーバック信号やブラックバック信号などの無映像信号であるかの判別を行うための比較レベルが設定され前記比較レベル以上の信号が前記バイアス電圧付加手段から入力されたとき前記映像信号は動画の映像信号であることを示す動画検出信号を出力する動画検出手段と、前記水平同期信号検出手段からの水平同期信号と前記動作検出手段からの動画検出信号とを合成して動画認識信号を出力する合成手段とを備え、前記動画認識信号により前記外部ビデオ入力端子に動画信号が入力されたことをビデオ記録再生装置に認識させるように構成したので、外部ビデオ入力端子を介して映像信号が入力されたときに記録が開始する記録予約モードの機能を有するビデオ記録再生装置の外部ビデオ入力端子に映像信号が入力されたとき、水平同期信号検出手段から水平同期信号が出力されることにより、その映像信号が動画信号またはブルーバック信号やブラックバック信号などの無映像信号であることが分かり、更に動画検出手段から動画検出信号が出力されることにより、その映像信号が動画信号であることが分かり、水平同期信号と動画検出信号とを合成した動画認識信号により、確実に外部ビデオ入力端子に入力された映像信号は動画信号であることをビデオ記録再生装置が認識できる。
【００２４】
したがって、ビデオ記録再生装置では、外部ビデオ入力端子を介して映像信号が入力されたときに記録が開始する記録予約モードに設定されていれば、外部ビデオ入力端子に映像信号が入力されると、動画信号のみを記録させることができ、これにより、記録媒体の記録領域が無駄なく有効に使用でき、また、再生時には、ブルーバック画面やブラックバック画面などの無映像画面が出画されることがないので、ユーザは快適に再生映像を楽しむことができる。
【００２５】
また、本発明によれば、ビデオ記録再生装置に付随する外部ビデオ入力端子から入力された映像信号が動画信号であった場合とブルーバック信号やブラックバック信号などの無映像信号であった場合とを判別できるように設定された通過周波数帯域を有するバンドパスフィルタを備え、このバンドパスフィルタを通過した信号により前記外部ビデオ入力端子に動画信号が入力されたことをビデオ記録再生装置に認識させるように構成したので、外部ビデオ入力端子を介して映像信号が入力されたときに記録が開始する記録予約モードの機能を有するビデオ記録再生装置の外部ビデオ入力端子に映像信号が入力されたとき、バンドパスフィルタを通過した信号により、外部ビデオ入力端子に入力された映像信号は動画信号であることをビデオ記録再生装置が認識できる。
【００２６】
したがって、ビデオ記録再生装置では、外部ビデオ入力端子を介して映像信号が入力されたときに記録が開始する記録予約モードに設定されていれば、外部ビデオ入力端子に映像信号が入力されると、動画信号のみを記録させることができ、これにより、記録媒体の記録領域が無駄なく有効に使用でき、また、再生時には、ブルーバック画面やブラックバック画面などの無映像画面が出画されることがないので、ユーザは快適に再生映像を楽しむことができる。
【発明を実施するための最良の形態】
【００２７】
以下、添付図面を参照しつつ、本発明の実施の形態について説明する。図１は本発明の一実施形態に係る映像信号検出回路の構成を示すブロック図である。
【００２８】
図１において、映像信号検出回路１００は、図示しないビデオ記録再生装置の外部ビデオ入力端子Ｔから入力された映像信号にバイアス電圧を付加するバイアス電圧付加回路１０１と、このバイアス電圧付加回路１０１からのバイアス電圧が付加された映像信号に含まれる水平同期信号を検出する水平同期信号検出回路１０２とを備えている。
【００２９】
また、映像信号検出回路１００は、外部ビデオ入力端子Ｔから入力された映像信号が動画信号であった場合とブルーバック信号やブラックバック信号などの無映像信号であった場合とを判別できるように設定された通過周波数帯域を有するバンドパスフィルタ１０３と、このバンドパスフィルタ１０３を通過した信号にバイアス電圧を付加するバイアス電圧付加回路１０４と、このバイアス電圧付加回路１０４からの信号に対して前記映像信号が動画信号であるかブルーバック信号やブラックバック信号などの無映像信号であるかの判別を行うための比較レベルが設定され前記比較レベル以上の信号がバイアス電圧付加回路１０４から入力されたとき前記映像信号は動画の映像信号（動画信号）であることを示す動画検出信号を出力する動画検出回路１０５とを備えている。なお、前記動画信号は、静止画における映像信号も含まれる。
【００３０】
図２は図１に示す映像信号検出回路の動作を説明するための信号波形図である。図２（１）において、ａ１は外部ビデオ入力端子Ｔから入力された映像信号（ＮＴＳＣカラーテレビジョン信号）を示し、この映像信号ａ１はバイアス電圧付加回路１０１およびバンドパスフィルタ１０３に入力される。この映像信号ａ１において、２１は水平同期信号を示し、２２は約３．５８ＭＨｚのカラーバースト信号を示す。ａ２は図３に示すような通過周波数帯域（１ＭＨｚを最大通過周波数）の周波数特性を有するバンドパスフィルタ１０３から出力された信号を示し、ａ３はバイアス電圧付加回路１０４から出力された信号を示す。この信号ａ３は、バンドパスフィルタ１０３から出力された信号ａ２に対してバイアス電圧Ｅが付加された信号である。
【００３１】
動画検出回路１０５では、バイアス電圧付加回路１０４からの信号ａ３を比較レベルｅで比較し、信号ａ３のレベルが比較レベルｅ以上であれば、ハイレベルの動画検出信号を出力する。ａ４は水平同期信号検出回路１０２から出力された水平同期信号と、動画検出回路１０５から出力された動画検出信号とを合成する合成回路１０６から出力された動画認識信号を示す。この動画認識信号が映像信号検出回路１００から出力されたときに、外部ビデオ入力端子Ｔから動画の映像信号が入力されたことをシステムコントローラは認識でき、それに応じた処理、例えば、ビデオ記録再生装置に付随する外部ビデオ入力端子Ｔを介して映像信号が入力されたとき、記録を開始する記録予約モードが備えられている場合に、この記録予約モードを使用した際に、ブルーバック信号やブラックバック信号などの無映像信号を省き、動画信号のみ抽出し、不要なビデオ画像の記録を除く処理を行うことができる。
【００３２】
図２（２）において、ｂ１は外部ビデオ入力端子Ｔから入力されたブルーバック信号を示し、このブルーバック信号ｂ１はバイアス電圧付加回路１０１およびバンドパスフィルタ１０３に入力される。このブルーバック信号ｂ１において、２１は水平同期信号を示し、２２は約３．５８ＭＨｚのカラーバースト信号を示す。ｂ２はバンドフィルタ１０３から出力された信号を示し、ｂ３はバイアス電圧付加回路１０４から出力された信号を示す。この信号ｂ３はバンドパスフィルタ１０３から出力された信号ｂ２に対してバイアス電圧Ｅが付加された信号である。
【００３３】
動画検出回路１０５では、バイアス電圧付加回路１０４からの信号ｂ３を比較レベルｅで比較するが、信号ｂ３のレベルが比較レベルｅよりも低いので、動画検出回路１０５は動画検出信号を出力しない。したがって、合成回路１０６から出力される信号は、信号ｂ４のように水平同期信号検出回路１０２からの水平同期信号だけになる。これにより、システムコントローラは、外部ビデオ入力端子Ｔから入力された映像信号がブルーバック信号またはブラックバック信号であることを認識する。なお、次に述べるように、外部ビデオ入力端子Ｔにブラックバック信号が入力された場合も、図２（３）の信号ｃ４に示すように水平同期信号検出回路１０２からの水平同期信号だけになるので、システムコントローラは、外部ビデオ入力端子Ｔから入力された映像信号がブラックバック信号またはブルーバック信号であることを認識することになる。
【００３４】
図２（３）において、ｃ１は外部ビデオ入力端子Ｔから入力されたブラックバック信号を示し、このブラックバック信号ｃ１はバイアス電圧付加回路１０１およびバンドパスフィルタ１０３に入力される。このブラックバック信号ｃ１において、２１は水平同期信号を示し、２２は約３．５８ＭＨｚのカラーバースト信号を示す。ｃ２はバンドフィルタ１０３から出力された信号を示し、ｃ３はバイアス電圧付加回路１０４から出力された信号を示す。この信号ｃ３はバンドパスフィルタ１０３から出力された信号ｃ２に対してバイアス電圧Ｅが付加された信号である。
【００３５】
動画検出回路１０５では、バイアス電圧付加回路１０４からの信号ｃ３を比較レベルｅで比較するが、信号ｃ３は比較レベルｅよりも低いので、動画検出回路１０５は動画検出信号を出力しない。したがって、合成回路１０６から出力される信号は、信号ｃ４のように水平同期信号検出回路１０２からの水平同期信号だけになる。これにより、システムコントローラは、外部ビデオ入力端子Ｔから入力された映像信号がブラックバック信号またはブルーバック信号であることを認識する。
【００３６】
このように映像信号検出回路１００は、外部ビデオ入力端子Ｔから入力された映像信号が動画信号であれば、図２の信号ａ４に示すような動画認識信号を出力し、外部ビデオ入力端子Ｔから入力された映像信号がブルーバック信号またはブラックバック信号であれば、図２の信号ｂ４，ｃ４に示すように水平同期信号を出力するので、システムコントローラでは、外部ビデオ入力端子Ｔに入力された映像信号は、動画信号であるか、ブルーバック信号またはブラックバック信号であるかを判別することが可能になる。また、図２に示すような動画認識信号ａ４を入力したシステムコントローラは、信号ａ４の立下り時点ｔ１をトリガとして検出動作を開始し、例えば、時点ｔ２で動画認識信号ａ４を検出するので、検出が正確で検出精度が高くなる。
【００３７】
図４は本実施形態において図１で説明した映像信号検出回路が搭載されたビデオ記録再生装置としてのハードディスク記録再生装置の構成を示すブロック図である。
【００３８】
図４において、このハードディスク記録再生装置は、テレビ放送の映像音声信号を受信して選局するチューナを有する受信部１、この受信部１からのアナログ映像音声信号のうちアナログ映像信号をデジタル映像信号に変換するＡ／Ｄ変換部２、外部ビデオ入力端子Ｔから入力されてくるアナログ映像信号をデジタル映像信号に変換するＡ／Ｄ変換部３、これらＡ／Ｄ変換部２，３で変換されたデジタル映像信号をＭＰＥＧ方式で圧縮処理する圧縮処理部４、前記圧縮処理された映像データをハードディスク（ＨＤ）５ａに記録するＨＤＤ（ハードディスクドライブ）５、およびＨＤＤ５から読み出した映像データを元の映像データに復元する伸張処理部６を備えている。
【００３９】
また、このハードディスク記録再生装置は、前記復元した映像データをデジタル信号からアナログ信号に変換してディスプレイ装置８に映像信号を供給するＤ／Ａ変換部７、圧縮処理部４による圧縮処理時や伸張処理部６による伸張処理時に映像データを一時的に格納するＲＡＭ９、装置全体の動作を制御するシステムコントローラ１０、このシステムコントローラ１０に各種キー操作信号を入力する本体のキー入力部１１、リモコン１３からの赤外線の各種キー操作信号を受信するキー受信部１２、およびシステムコントローラ１０の処理に必要なプログラムやデータなどが記録されたフラッシュＲＯＭ１４を備えている。
【００４０】
また、このハードディスク記録再生装置は、本実施形態の特徴とする映像信号検出回路１００を備えている。この映像信号検出回路１００の動作を図１〜図３も参照して説明する。
【００４１】
例えば、室内の侵入者を監視する監視カメラ（図示せず）のビデオ出力端子が、ビデオケーブルを介してハードディスク記録再生装置の外部ビデオ入力端子Ｔに接続されており、監視カメラは、ビデオ出力端子から通常はブルーバック信号を出力し、侵入者を捕らえると、動画信号を出力するものとする。また、ハードディスク記録再生装置では、監視カメラからの動画信号を入力したときに、記録が可能になるように記録予約モードに設定されているものとする。なお、ブルーバック信号の代わりにブラックバック信号を扱う場合も同様である。
【００４２】
先ず、室内に侵入者が居ない場合は、監視カメラは、図２（２）に示すようなブルーバック信号ｂ１を出力し、外部ビデオ入力端子Ｔに供給している。したがって、映像信号検出回路１００では、そのブルーバック信号ｂ１がバイアス電圧付加回路１０１およびバンドパスフィルタ１０３に入力される。バイアス電圧付加回路１０１では、そのブルーバック信号ｂ１にバイアス電圧を付加し、水平同期信号検出回路１０２に入力する。水平同期信号検出回路１０２では、バイアス電圧付加回路１０１からのブルーバック信号ｂ１に含まれる水平同期信号を検出する。
【００４３】
また、バンドパスフィルタ１０３は、同じく外部ビデオ入力端子Ｔからのブルーバック信号ｂ１を入力し、図２（２）に示すような信号ｂ２を出力する。この信号ｂ２を入力したバイアス電圧付加回路１０４は、信号ｂ２に対してバイアス電圧Ｅを付加し、図２（２）に示すような信号ｂ３を出力する。
【００４４】
動画検出回路１０５は、バイアス電圧付加回路１０４からの信号ｂ３を比較レベルｅで比較するが、信号ｂ３のレベルが比較レベルｅよりも低いので、動画検出信号を出力しない。したがって、合成回路１０６から出力される信号は、信号ｂ４のように水平同期信号検出回路１０２からの水平同期信号だけになる。これにより、システムコントローラ１０は、外部ビデオ入力端子Ｔから入力された映像信号がブルーバック信号であることを認識し、このときはＨＤＤ５を駆動させない。したがって、監視カメラからのブルーバック信号はＨＤ５ａには記録されることはない。
【００４５】
次に、室内に侵入者が入った場合の動作について説明する。室内に侵入者が入ると、監視カメラは、室内の映像を撮像して図２（１）に示すような映像信号ａ１を出力する。この映像信号ａ１は、ハードディスク記録再生装置の外部ビデオ入力端子Ｔに供給される。したがって、映像信号検出回路１００では、その映像信号ａ１がバイアス電圧付加回路１０１およびバンドパスフィルタ１０３に入力される。バイアス電圧付加回路１０１では、その映像信号ａ１にバイアス電圧Ｅを付加し、水平同期信号検出回路１０２に入力する。水平同期信号検出回路１０２では、バイアス電圧付加回路１０１からの映像信号ａ１から水平同期信号を検出する。
【００４６】
また、バンドパスフィルタ１０３は、同じく外部ビデオ入力端子Ｔからの映像信号ａ１を入力し、この映像信号ａ１のうち、図３に示すような通過周波数特性の通過周波数帯域の信号だけを通過させ、図２（１）に示すような信号ａ２を出力する。この信号ａ２を入力したバイアス電圧付加回路１０４は、信号ａ２に対してバイアス電圧Ｅを付加し、図２（１）に示すような信号ａ３を出力する。
【００４７】
動画検出回路１０５では、バイアス電圧付加回路１０４からの信号ａ３を比較レベルｅで比較し、信号ａ３のレベルが比較レベルｅ以上であれば、ハイレベルの動画検出信号を出力する。即ち、信号ａ３のレベルが比較レベルｅ以上になっている期間があるので、この期間の部分がハイレベルの動画検出信号として動画検出回路１０５から出力されることになる。
【００４８】
合成回路１０６では、水平同期信号検出回路１０２から出力された水平同期信号と、動画検出回路１０５から出力された動画検出信号とを合成し、図２（１）に示すような動画認識信号ａ４を出力する。この動画認識信号ａ４を入力したシステムコントローラ１００は、外部ビデオ入力端子Ｔから動画信号が入力されたことを認識し、これにより、ＨＤＤ５を駆動させ、監視カメラからの動画信号をＨＤ５ａに記録させる。
【００４９】
このハードディスク記録再生装置では、映像信号検出回路１００を備えることにより、外部ビデオ入力端子Ｔを介して入力された映像信号が動画信号であった場合にのみ記録を開始するようにできるので、ブルーバック信号やブラックバック信号などの無映像信号を省き、動画信号のみによるビデオ画像の記録を行うことができる。したがって、ハードディスクには、不要なブルーバック信号やブラックバック信号などの無映像信号が記録されることがないので、記録領域を節約することができ、また、再生時には、ブルーバック画面やブラックバック画面などの無映像画面が出画されることがないので、ユーザは快適に目的とする映像を観ることができる。
【００５０】
以上説明したように本実施形態によれば、外部ビデオ入力端子を介して映像信号が入力されたときに記録が開始する記録予約モードの機能を有するビデオ記録再生装置の外部ビデオ入力端子に映像信号が入力されたとき、水平同期信号検出手段から水平同期信号が出力されることにより、その映像信号が、動画信号、またはブルーバック信号やブラックバック信号などの無映像信号であることが分かり、更に動画検出手段から動画検出信号が出力されることにより、その映像信号が動画信号であることが分かり、水平同期信号と動画検出信号とを合成した動画認識信号により、確実に外部ビデオ入力端子に入力された映像信号は動画信号であることをビデオ記録再生装置が認識できる。
【００５１】
したがって、ビデオ記録再生装置では、外部ビデオ入力端子を介して映像信号が入力されたときに記録が開始する記録予約モードに設定されていれば、外部ビデオ入力端子に映像信号が入力されると、動画信号のみを記録させることができ、これにより、記録媒体の記録領域が無駄なく有効に使用でき、また、再生時には、ブルーバック画面やブラックバック画面などの無映像画面が出画されることがないので、ユーザは快適に再生映像を楽しむことができる。
【００５２】
なお、上記実施形態では、映像信号検出回路をハードディスク記録再生装置に設けた構成について説明したが、これに限らず、映像信号検出回路をＤＶＤレコーダやビデオカセットレコーダなどのビデオ記録再生装置に設けても良い。また、上記実施形態では、ハードディスク記録再生装置の外部ビデオ入力端子Ｔに監視カメラを接続した場合について説明したが、再生装置を接続しても良く、この場合、再生装置からの映像を記録する場合に、再生装置からブルーバック信号やブラックバック信号などの無映像信号が出力されている間は、ハードディスク記録再生装置は、記録動作を開始させず、再生装置から動画の映像信号が出力されたときにのみ、記録動作を開始させるようにすることができる。
【図面の簡単な説明】
【００５３】
【図１】本発明の一実施形態に係る映像信号検出回路の構成を示すブロック図である。
【図２】図１に示す映像信号検出回路の動作を説明するための信号波形図である。
【図３】図１中のバンドパスフィルタの通過周波数特性を示す図である。
【図４】前記実施形態において図１で説明した映像信号検出回路が搭載されたビデオ記録再生装置としてのハードディスク記録再生装置の構成を示すブロック図である。
【図５】従来の映像信号検出回路の構成を示すブロック図である。
【図６】図５に示す映像信号検出回路の動作を説明するための信号波形図である。
【符号の説明】
【００５４】
Ｔ    外部ビデオ入力端子
１００    映像信号検出回路
１０１    バイアス電圧付加回路（バイアス電圧付加手段）
１０２    水平同期信号検出回路（水平同期検出手段）
１０３    バンドパスフィルタ
１０４    バイアス電圧付加回路（バイアス電圧付加手段）
１０５    動画検出回路（動画検出手段）
１０６    合成回路（合成手段）
【図１】
2007189598.tif 000003
【図２】
2007189598.tif 000004
【図３】
2007189598.tif 000005
【図４】
2007189598.tif 000006
【図５】
2007189598.tif 000007
【図６】
2007189598.tif 000008